(57)【特許請求の範囲】
【請求項１】
床面の上方を覆って敷設されるフロアパネルと、これらフロアパネルの角位置と対応して床面上に配置されるパネル支柱と、各フロアパネルの角位置に形成された鍔部をパネル支柱が具備するパネル受け部へと向かって押圧しながらパネル支柱に連結される連結部材とからなる二重床フロアパネルの支持構造であって、各フロアパネルの鍔部とパネル支柱のパネル受け部との間に、これら同士間に隙間が生じるのを防止する剛性部材が介装されており、前記剛性部材は半円形状であることを特徴とする二重床フロアパネルの支持構造。
【請求項２】
フロアパネル及び剛性部材は、ともに導電性を有する素材から形成されていることを特徴とする請求項１に記載した二重床フロアパネルの支持構造。
【発明の詳細な説明】
【０００１】
【発明の属する技術分野】
本発明は、二重床フロアパネルの支持構造に係り、特に、床面の上方を覆って敷設されたフロアパネルの浮き上がりを防止する技術に関する。
【０００２】
【従来の技術】
インテリジェントビルといわれるオフィスビル等では、使用電力量やデータ通信量等が増大するのに対応して十分な配線スペースを確保する必要がある。このため、各フロアにおける床面の上方を覆うようにしてフロアパネルが敷設された二重床フロアパネルを採用し、床面とフロアパネルとの間に生じた空間を配線スペースとして利用することが行われている。このような二重床フロアパネルは、オフィスの頻繁なレイアウト変更にもフレキシブルに対応可能となる。
【０００３】
そして、二重床フロアパネルの支持構造は、図３に示すように、互いに並列配置されて床面（図示省略）の上方を覆うフロアパネル１、２と、これらフロアパネル１、２の角位置に対応して床面上に配置されるパネル支柱３と、各フロアパネル１、２をパネル支柱３と連結するための連結部材４とからなる。また、この場合、フロアパネル１、２それぞれの角位置毎には、図４に示すように、側端面から水平方向へと突出する連結ロック用の鍔部５が形成されている。
【０００４】
なお、フロアパネル１、２の各々は、導電性を有する素材、つまり、具体的にはスチール等の金属を用いて製作されるものであり、図示を省略しているが、フロアパネル１の平面視形状はほぼ正方形状とされている。これに対し、室内の壁際に敷設されるフロアパネル２は、壁際カット処理が施されたもの、つまり、フロアパネル１の壁際に位置する側端部２ａが切断して除去されたものであり、その平面視形状はほぼ矩形状となることが多い。
【０００５】
さらに、パネル支柱３は、図４及び図５に示すように、ベース部６と、このベース部６上に載置された筒形状の樹脂カバーであるパネル受け部７とから構成されるものが一般的である。そして、この場合、パネル受け部７の下端部はベース部６と密着するよう拡げられており、ベース部６と密着しているパネル受け部７の下端部上には、各フロアパネル１、２の底部が載置されている。
【０００６】
さらにまた、連結部材４は、フロアパネル１、２の鍔部５に上側から当接する連結ワッシャー８と、この連結ワッシャー８とパネル支柱３のパネル受け部７とを貫通してベース部６の中央位置に螺合される連結ボルト９とから構成されている。そして、連結ボルト９がパネル支柱３のベース部６へと螺合されていくのに従って連結ワッシャー８が鍔部５を押圧する結果、フロアパネル１、２は床面Ｇの上方を覆う状態として位置決めされたうえで敷設される。なお、図４中の符号Ｇは床面を、また、符号１０はタイルカーペットをそれぞれ示しており、このタイルカーペット１０はフロアパネル１、２上を覆って敷設されている。
【０００７】
【発明が解決しようとする課題】
ところで、上記した従来の二重床フロアパネルの支持構造を採用している場合、図４に示すように、連結ワッシャー８で押圧されたフロアパネル１、２の鍔部５と、パネル支柱３を構成するパネル受け部７の上端部との間は、部品寸法のばらつき吸収などのために、通常隙間Ｓが生じるように設定してある。そして、このような隙間Ｓが生じた状態であるとき、連結ボルト９によって連結ワッシャー８を締め付けるほど、鍔部５が形成されたフロアパネル１、２の角位置は沈み込むこととなる。
【０００８】
そうすると、壁際カット処理が施されたフロアパネル２の壁際に位置する他辺側、つまり、切断して除去された側端部２ａ寄りの他辺側が、上方へと浮き上がってしまうことが起こる。すなわち、この際におけるフロアパネル２はその一辺側のみがパネル支柱３でもって固定される構成であるから、図４中の仮想線で示すように、その一辺側が連結ワッシャー８によって強く押圧されるほど、斜め方向へと傾斜することになってしまう。
【０００９】
勿論、このような浮き上がりが発生するか否かは施工者の有する技量にもよるのであるが、少しでもフロアパネル２の浮き上がりが発生していれば、施工不良と評価されかねないため、大変に不都合であることには変わりないといわざるを得ない。
【００１０】
本発明は、かかる事由に鑑みてなしたものであり、施工者の技量に関係なく、フロアパネルの浮き上がりが生じにくくなる二重床フロアパネルの支持構造の提供を目的とする。
【００１１】
【課題を解決するための手段】
請求項１に係る発明の二重床フロアパネルの支持構造は、床面の上方を覆って敷設されるフロアパネルと、これらフロアパネルの角位置と対応して床面上に配置されるパネル支柱と、各フロアパネルの角位置に形成された鍔部をパネル支柱が具備するパネル受け部へと向かって押圧しながらパネル支柱に連結される連結部材とからなるものであり、各フロアパネルの鍔部とパネル支柱のパネル受け部との間に、これら同士間に隙間が生じるのを防止する剛性部材が介装されており、前記剛性部材は半円形状であることを特徴とする。
【００１２】
このような構成にあっては、隙間が生じるのを防止する剛性部材が各フロアパネルの鍔部とパネル支柱のパネル受け部との間に介装されているので、連結部材でもって各フロアパネルの鍔部をパネル支柱のパネル受け部へといかに強く押圧したとしても、フロアパネルは殆ど浮き上がることがない。さらに、剛性部材は半円形状であるので、一旦フロアパネルを敷設した後に剛性部材を取り外す必要が生じたとき、円形状であると４枚のフロアパネルを動かさねばならないところ、２枚だけ動かせばよい。
【００１３】
請求項２に係る発明の二重床フロアパネルの支持構造は、請求項１に記載した構成において、フロアパネル及び剛性部材はともに導電性を有する素材から形成されていることを特徴とする。このような構成であれば、導電性を有するフロアパネル同士が導電性を有する剛性部材を介したうえで互いに導通しあっているので、フロアパネルのアースをとることが極めて容易となる。
【００１４】
【発明の実施の形態】
図１は本発明の実施の形態に係る二重床フロアパネルの支持構造を簡略化して示す要部断面図、図２はこれに使用する剛性部材の全体構造を示す外観斜視図であり、これらの図における符号１１は剛性部材としての円輪プレートを示している。なお、本実施の形態に係る支持構造の全体平面構成は従来の形態と異ならないので、図示を省略したうえで図３を参照して説明する。また、本実施の形態に係る支持構造におけるパネル支柱の平面構成も、従来の形態と基本的に異ならないことになる。そこで、図１において、図４と互いに同一となる部品、部分については同一符号を付すこととし、ここでの詳しい説明は省略する。
【００１５】
本実施の形態に係る二重床フロアパネルの支持構造は、並列配置されて床面Ｇの上方を覆うフロアパネル１、２と、これらフロアパネル１、２の角位置と対応して床面Ｇ上に配置されるパネル支柱３と、各フロアパネル１、２をパネル支柱３と連結する連結部材４とからなり、フロアパネル１、２の角位置毎には連結ロック用の鍔部５が形成されている。そして、フロアパネル１、２の各々は、導電性を有する素材であるスチール等の金属を用いて製作されたものとなっている。
【００１６】
一方、ここでのパネル支柱３は、ベース部６と、このベース部６上に載置された樹脂カバーである筒形状のパネル受け部７とから構成されたものであり、ベース部６と密着するよう拡げられたパネル受け部７の下端部上には、各フロアパネル１、２の底部が載置されている。さらに、連結部材４は、フロアパネル１、２の鍔部５に上側から当接する連結ワッシャー８と、この連結ワッシャー８とパネル支柱３のパネル受け部７とを貫通してベース部６の中央位置に螺合される連結ボルト９と、から構成されている。
【００１７】
さらにまた、フロアパネル１、２の角位置毎に形成された鍔部５と、パネル支柱３を構成しているパネル受け部７の上端部との間には、図１に示すように、これら同士間に隙間Ｓが生じるのを防止する円輪プレート（剛性部材）１１が介装されている。すなわち、この円輪プレート１１は、導電性を有する素材であるスチール等の金属を用いて製作され、かつ、隙間Ｓと対応する程度の厚みとされた板材からなる剛性部材であり、図２に示すように、通常のいわゆる平座金と同様の形状を有している。
【００１８】
そして、この円輪プレート１１をフロアパネル１、２の鍔部５と、パネル支柱３のパネル受け部７との間に介装している場合、連結ボルト９によって連結ワッシャー８をいかに強く締め付けたとしても、フロアパネル１、２の角位置は殆ど沈み込むことがない。従って、施工者の技量に拘わらず、壁際カット処理されたフロアパネル２の他辺側が上方へと浮き上がってしまうことはなくなり、浮き上がりを発生させないでフロアパネル２を敷設することが可能となる。
【００１９】
また、このような構成とされた場合におけるフロアパネル１、２は、円輪プレート１１と接触していることになり、フロアパネル１、２及び円輪プレート１１がともに導電性を有するもの同士であるため、これらのフロアパネル１、２及び円輪プレート１１は互いに導通していることとなる。
【００２０】
ところで、本実施の形態においては、フロアパネル１、２の角位置毎に形成された鍔部５と、パネル支柱３のパネル受け部７との間に対し、ほぼ円形状とされた円輪プレート１１である剛性部材を全面的に介装している。しかしながら、浮き上がりが発生しやすいのは壁際カット処理されたフロアパネル２であるから、図示を省略しているものの、剛性部材が円形状ではなくて半円形状を有するとしたうえ、半円形状とされた剛性部材をフロアパネル２の鍔部５とパネル支柱３のパネル受け部７との間にのみ介装するような構成としてもよい。このように、剛性部材を半円形状にした場合、一旦フロアパネルを敷設した後に剛性部材を取り外す必要が生じたとき、円形状であると４枚のフロアパネルを動かさねばならないところ、２枚だけ動かせばよい。
【００２１】
【発明の効果】
請求項１に係る発明の二重床フロアパネルの支持構造は、隙間が生じるのを防止する剛性部材が各フロアパネルの鍔部とパネル支柱のパネル受け部との間に介装されているので、連結部材でもって各フロアパネルの鍔部を各パネル支柱のパネル受け部へといかに強く押圧しようとも、フロアパネルは殆ど浮き上がることがない。従って、施工者の技量が未熟であったとしても、フロアパネルの浮き上がりが殆ど生じることがないようにすることができる。さらに、剛性部材は半円形状であるので、一旦フロアパネルを敷設した後に剛性部材を取り外す必要が生じたとき、円形状であると４枚のフロアパネルを動かさねばならないところ、２枚だけ動かせばよい。
【００２２】
請求項２に係る発明の二重床フロアパネルの支持構造は、導電性を有するフロアパネル同士が導電性を有する剛性部材を介したうえで導通しあっているので、フロアパネルのアースをとることが極めて容易になるという効果も得られる。
【図面の簡単な説明】
【図１】本実施の形態に係る二重床フロアパネルの支持構造を簡略化して示す要部断面図である。
【図２】同上のものに使用される剛性部材の全体構造を示す外観斜視図である。
【図３】本実施の形態及び従来の形態に係る二重床フロアパネルの支持構造を簡略化して示す全体平面図である。
【図４】従来の形態に係る二重床フロアパネルの支持構造を簡略化して示す要部断面図である。
【図５】本実施の形態及び従来の形態に係るパネル支柱の構造を簡略化して示す平面図である。
【符号の説明】
１    フロアパネル
２    壁際カット処理されたフロアパネル
３    パネル支柱
４    連結部材
５    連結ロック用の鍔部
６    ベース部（パネル支柱）
７    パネル受け部（パネル支柱）
８    連結ワッシャー（連結部材）
９    連結ボルト（連結部材）
１１    円輪プレート（剛性部材）
Ｇ    床面
Ｓ    隙間
【図１】
0003991716.tif 000002
【図２】
0003991716.tif 000003
【図３】
0003991716.tif 000004
【図４】
0003991716.tif 000005
【図５】
0003991716.tif 000006